(57)【要約】  【課題】  この発明は、カーテンエアバッグ装置において、カーテン部の固定位置を移動させることで、膨張力がなくなった場合でも、カーテン部のテンションを維持することができ、また、この固定位置を移動するにあたり、カーテン部が迅速な展開を行うことができ、さらに、固定位置よりも展開方向側におけるカーテン部のテンションも得ることができるカーテンエアバッグ装置を提供することを目的とする。  【解決手段】カーテン部収納時（イ）に、三辺の長さ（Ｘ＋Ｙ＋Ｚ）をカーテン部５が備えつつも、支持ピン７，７と紐状部材８，８によってカーテン部５の両側の支持位置（固定位置）を移動するように構成することで、カーテン部展開膨張時（ロ）に、カーテン部５の側部の先端部Ｑ,Ｑが下方に展開膨張するのに伴って、紐状部材８，８で連結された張力部Ｐ,Ｐが下側に引っ張られ、張力部Ｐ,Ｐが支持ピン７，７の位置に移動するように構成する。    【選択図】  図６
2006273043.tif 000002
【特許請求の範囲】
【請求項１】
収納状態でウィンド部分の周縁部の第一辺及び第二辺に収納され、展開膨張状態で該ウィンド部分を覆うように展開膨張するカーテン部と、
所定の状態で該カーテン部が展開膨張するように該カーテン部に形成した膨張部に対してガスを供給するガス供給手段とを備えたカーテンエアバッグ装置において、
前記カーテン部は、収納状態で、展開膨張時に展開方向先端側に位置する先端側部が、前記第一辺から離間した第二辺に設けた支持部の近傍に位置し、展開膨張時に該支持部の近傍に位置する張力部が、前記第一辺側に近接するように収納されており、
展開膨張時に、前記膨張部の膨張する力によって、前記先端側部が展開方向に移動すると共に、前記張力部が支持部近傍まで移動して、支持部に係合されるとともに、
前記膨張部の先端部は、前記ウィンド部分の第一辺若しくは第二辺と対面する辺を越えて展開膨張するように構成された
カーテンエアバッグ装置。
【請求項２】
収納状態でウィンド部分の周縁部のうち中央に位置する第一辺とその両側に位置する第二辺と第三辺とに収納され、展開膨張状態で該ウィンド部分を覆うように展開膨張するカーテン部と、
所定の状態で該カーテン部が展開膨張するように該カーテン部に形成した膨張部に対してガスを供給するガス供給手段とを備えたカーテンエアバッグ装置において、
前記カーテン部は、収納状態で、展開膨張時に第二辺側の展開方向先端側に位置する第二辺側先端側部が、前記第一辺から離間した第二辺に設けた第二辺支持部の近傍に位置し、展開膨張時に第三辺側の展開方向先端側に位置する第三辺側先端部側が、前記第一辺から離間した第二辺に設けた第二辺支持部の近傍に位置するとともに、
展開膨張時に前記第二辺支持部の近傍に位置する第二辺側張力部が、前記第一辺側に近接し、展開膨張時に前記第三辺支持部の近傍に位置する第三辺側張力部が、前記第一辺側に近接するように収納されており、
展開膨張時に、前記膨張部の膨張する力によって、前記第二辺側先端側部と前記第三辺側先端側部がそれぞれの展開方向に移動すると共に、前記第二辺側張力部と前記第三辺側先端側部がそれぞれ第二辺支持部近傍と第三辺支持部近傍まで移動して、第二辺支持部と第三辺支持部に係合されるとともに、
前記膨張部の先端部は、前記ウィンド部分の第一辺、第二辺若しくは第三辺と対面する辺を越えて展開膨張するように構成された
カーテンエアバッグ装置。
【請求項３】
前記各辺のなす角は、鈍角に設定された
請求項１又は２記載のカーテンエアバッグ装置。
【請求項４】
前記膨張部は、展開膨張時に、前記第一辺、第二辺、第三辺の少なくともいずれか一辺から前記対面する辺を越える先端部まで略柱状となるように構成された
請求項１〜３記載のカーテンエアバッグ装置。
【請求項５】
前記膨張部は、前記第二辺、第三辺の少なくとも一方側に近接して略柱状に形成された
請求項４記載のカーテンエアバッグ装置。
【請求項６】
前記ウィンド部分は、車両側部に設けるサイドウィンドであり、
前記所定の状態は、車両の衝突時、衝突予知時、又は横転判定時とされ、
前記膨張部は、展開膨張状態で、車両上方の前記第一辺から前記サイドウィンド下端辺のベルトラインを越えるように設定され、車両側面視で、前記ウィンド部分間で上下方向に延びるピラーと重合する位置に略柱状に形成された
請求項１〜５記載のカーテンエアバッグ装置。
【発明の詳細な説明】
【技術分野】
【０００１】
この発明は、カーテンエアバッグ装置に関し、特に、車両、建物、航空機、電車、船、宇宙船及び宇宙ステーション等で用いることができる、窓、ドア等の開口部（以下、ウィンド部分）を瞬時に展開膨張して覆うカーテンエアバッグ装置に関する。
【背景技術】
【０００２】
従来から、車両の衝突時等にウィンド部分を瞬時にカーテン状に展開膨張して覆うカーテンエアバッグ装置が知られている。
【０００３】
このカーテンエアバッグ装置は、ウィンド部分の周縁に非展開状態のカーテン部を収納しておき、所定の状態（例えば衝突時）で、そのカーテン部を展開状態とすることでウィンド部分を覆う。
【０００４】
もっとも、この展開状態において、カーテン部にテンション（張力）が発生しなければ、ウィンド部分を確実に覆うことができないため、カーテンエアバッグ装置においては、展開時にいかにテンションを発生させるかが、従来から問題となっている。
【０００５】
従来、このテンションを発生させるためには、例えば矩形のウィンド部分においては、ウィンド部分周縁の三辺にカーテン部の基部を固定し、展開時に自由端部となる展開部にガスによって膨張する膨張部（気室）を設け、この膨張部にガスを供給することで、自由端の見かけ上の長さを短くして、テンションを発生するように構成していた。
【０００６】
しかし、この場合、大きなウィンド部分を覆うために、膨張部をかなり大きなものにする必要があり、また、この膨張部に大量のガスを供給する必要があったため、覆うことができるウィンド部分の大きさに制限があるといった問題があった。
【０００７】
そこで、下記特許文献１のように、車両のバックウィンドを覆うカーテンエアバッグ装置では、バッグウィンドの上縁部にカーテン部を収納し、バッグウィンドの左右縁部の中間位置に張力付与支持点を設けて、展開膨張時には、張力付与支持点より下方にカーテン部を展開させることにより、テンションを発生させるものが提案されている。
【０００８】
また、下記特許文献２では、バックウィンドの左右端部に上下方向に延びるガイドレールを設け、バッグウィンドの上縁部に収納したカーテン部を、展開膨張時に、ガイドレールに沿って下方に移動させ、カーテン部の固定位置（支持位置）を変化させることで、テンションを発生させるものが提案されている。
【０００９】
これら特許文献に開示されるように、張力付与支持点やガイドレールを設けることで、基部以外でカーテン部を支持することができるため、膨張部を大きくすることなく、またガス量が少なくても、カーテン部にテンションを得ることができると思われる。
【００１０】
【特許文献１】特開２００４−５８８４９号公報
【特許文献２】特開２００４−５８８５０号公報
【発明の開示】
【発明が解決しようとする課題】
【００１１】
しかしながら、まず特許文献１の場合、張力付与支持点とカーテン部とを布状体（延長部）で連結してカーテン部の位置を規定しているだけで、カーテン部の固定位置は移動しないため、カーテン部に膨張力がなくなると布状体が緩み、結果的にカーテン部のテンションが維持できないという問題がある。
【００１２】
そこで、特許文献２のようにカーテン部の固定位置を移動させることが考えられるが、この場合には、カーテン部の固定位置を移動させる際にガイドレールとの間で摺動抵抗が生じるため、迅速な展開膨張ができないといった問題がある。また。衝突時等の衝撃によってガイドレールに変形が生じた場合には、適切な展開膨張ができないおそれがあるといった問題がある。
【００１３】
さらに、単にカーテン部の固定位置を移動させたとしても、その固定位置よりも展開方向側におけるカーテン部のテンションを得ることはできないという問題がある。
【００１４】
そこで、本発明は、カーテンエアバッグ装置において、カーテン部の固定位置を移動させることで、膨張力がなくなった場合でも、カーテン部のテンションを維持することができ、また、この固定位置を移動するにあたり、カーテン部が迅速な展開を行うことができ、さらに、固定位置よりも展開方向側におけるカーテン部のテンションも得ることができるカーテンエアバッグ装置を提供することを目的とする。
【課題を解決するための手段】
【００１５】
このような目的を達成するために、本発明の請求項１記載の発明においては、収納状態でウィンド部分の周縁部の第一辺及び第二辺に収納され、展開膨張状態で該ウィンド部分を覆うように展開膨張するカーテン部と、所定の状態で該カーテン部が展開膨張するように該カーテン部に形成した膨張部に対してガスを供給するガス供給手段とを備えたカーテンエアバッグ装置において、前記カーテン部は、収納状態で、展開膨張時に展開方向先端側に位置する先端側部が、前記第一辺から離間した第二辺に設けた支持部の近傍に位置し、展開膨張時に該支持部の近傍に位置する張力部が、前記第一辺側に近接するように収納されており、展開膨張時に、前記膨張部の膨張する力によって、前記先端側部が展開方向に移動すると共に、前記張力部が支持部近傍まで移動して、支持部に係合されるとともに、前記膨張部の先端部は、前記ウィンド部分の第一辺若しくは第二辺と対面する辺を越えて展開膨張するように構成されたものである。
【００１６】
このような構成により、カーテン部は、展開膨張時に、膨張部の膨張力によって、収納時に支持部近傍に位置する先端側部が展開方向に移動すると共に、収納時に第一辺側に近接する張力部が支持部近傍に移動して該支持部に係合することになる。
【００１７】
このため、カーテン部の展開膨張時には、張力部が支持部まで移動して、この支持部の位置でカーテン部のテンションを発生することができる。
【００１８】
すなわち、収納時に第一辺側に近接していた張力部が、膨張部の膨張力によって第一辺から離間した支持部で係合されるため、第一辺と第二辺の長さ分の距離でテンションを発生させなくても、カーテン部の固定位置を移動させてテンションを発生させることができるのである。
【００１９】
また、膨張部の前端部がウィンド部分の第一辺、第二辺と対面する辺を越えて展開膨張することで、膨張部が対面する辺まで延びることになる。
【００２０】
このため、膨張部の前端部が対面する辺に係合することになり、支持部より展開方向側におけるカーテン部のテンションも得ることができる。
【００２１】
ここで、第一辺、第二辺、対面する辺とは、共に直線のみならず、曲線をも含む概念である。
【００２２】
また、支持部の具体構造については、展開膨張時にカーテン部の張力部を支持できるものであれば、支持ピン、支持フック、支持孔等、特に限定されるものではない。
【００２３】
さらに、ウィンド部分とは、一つのウィンドからなるウィンド部分だけではなく、複数のウィンドを連設するようなウィンド部分も含む概念である。
【００２４】
また、膨張部の先端部が対面する辺を越える量も、支持部より展開方向側のカーテン部のテンションを得ることができれば、特に限定しないが、車両に設置する場合には、５ｃｍ〜３０ｃｍ程度に設定するのが望ましい。
【００２５】
請求項２記載の発明においては、収納状態でウィンド部分の周縁部のうち中央に位置する第一辺とその両側に位置する第二辺と第三辺とに収納され、展開膨張状態で該ウィンド部分を覆うように展開膨張するカーテン部と、所定の状態で該カーテン部が展開膨張するように該カーテン部に形成した膨張部に対してガスを供給するガス供給手段とを備えたカーテンエアバッグ装置において、前記カーテン部は、収納状態で、展開膨張時に第二辺側の展開方向先端側に位置する第二辺側先端側部が、前記第一辺から離間した第二辺に設けた第二辺支持部の近傍に位置し、展開膨張時に第三辺側の展開方向先端側に位置する第三辺側先端部側が、前記第一辺から離間した第二辺に設けた第二辺支持部の近傍に位置するとともに、展開膨張時に前記第二辺支持部の近傍に位置する第二辺側張力部が、前記第一辺側に近接し、展開膨張時に前記第三辺支持部の近傍に位置する第三辺側張力部が、前記第一辺側に近接するように収納されており、展開膨張時に、前記膨張部の膨張する力によって、前記第二辺側先端側部と前記第三辺側先端側部がそれぞれの展開方向に移動すると共に、前記第二辺側張力部と前記第三辺側先端側部がそれぞれ第二辺支持部近傍と第三辺支持部近傍まで移動して、第二辺支持部と第三辺支持部に係合されるとともに、前記膨張部の先端部は、前記ウィンド部分の第一辺、第二辺若しくは第三辺と対面する辺を越えて展開膨張するように構成されたものである。
【００２６】
このような構成により、カーテン部は、展開膨張時に膨張部の膨張力によって、収納時に第二辺支持部近傍に位置する第二辺側先端側部と第三辺支持部近傍に位置する第三辺側先端側部とが、それぞれ展開方向へ移動するとともに、収納時に第一辺側に近接位置する第二辺側張力部と第三辺側張力部とが、それぞれ第二辺支持部、第三辺支持部近傍に移動して、該第二辺支持部と第二辺支持部に係合することになる。
【００２７】
このため、カーテン部の展開膨張時には、第二辺側張力部と、第三辺側張力部が、それぞれ第二辺支持部と第三辺支持部に移動して、この第二辺支持部と第三辺支持部の間でテンションを発生させることができる。
【００２８】
すなわち、収納時に、第一辺側に近接していた第二辺側張力部と第三辺側張力部とが、膨張部の膨張力によって、第一辺と第二辺と第三辺の長さ分の距離でテンションを発生させなくても、カーテン部の固定位置を移動させてテンションを発生させることができるのである。
【００２９】
よって、ウィンド部分開口が略四角形のものにおいて、膨張部を大きくすることなく、またガス量を大量に必要としなくても、カーテン部にテンションを発生させることができる。
【００３０】
そして、カーテン部の固定位置が移動するため、膨張部の膨張力が低下しても、カーテン部のテンションを維持することができる。
【００３１】
さらに、このカーテン部の固定位置の移動も、ガイドレールを使用しないため、摺動抵抗の発生がなく、カーテン部に迅速な展開膨張を行わせることができる。
【００３２】
また膨張部の前端部がウィンド部分の第一辺、第二辺、第三辺と対面する辺を越えて展開膨張することで、膨張部が対面する辺まで延びることになる。
【００３３】
このため、膨張部が対面する辺に係合することになり、支持部より展開方向側におけるカーテン部のテンションを得ることができる。
【００３４】
よって、支持部より展開方向側のテンションも得ることができ、カーテン部全体でテンションを発生、維持することができる。
【００３５】
なお、第二辺と第三辺は、互いに対向して延びる辺であれば、特に形状を限定されるものではない。また、ウィンド部分の形状も長方形、平行四辺形及び台形等であってもよい。
【００３６】
請求項３記載の発明においては、前記各辺のなす角は、鈍角に設定されたものである。
【００３７】
このような構成により、請求項１記載の発明においては、第一辺と第二辺、請求項２記載の発明においては、第一辺と第二辺、及び第一辺と第三辺とのなす角が直角よりも広がった鈍角に設定されることで、カーテン部の展開膨張時に、張力部が収納時の位置よりも外方側に位置する支持部で支持されることになる。
【００３８】
よって、カーテン部でテンションを発生するのに必要とされる膨張部をより小さく、又は全く必要とせずに、カーテン部にテンションを発生させることができ、請求項１記載及び請求項２記載の発明の効果をより得ることができる。
【００３９】
請求項４記載の発明においては、前記膨張部は、展開膨張時に、前記第一辺、第二辺、第三辺の少なくともいずれか一辺から前記対面する辺を越える先端部まで略柱状となるように構成されたものである。
【００４０】
このような構成により、膨張部の先端部へのガス供給が迅速に行われることになり、且つ展開膨張状態で膨張部が対面する辺まで略柱状に延びることになる。
【００４１】
よって、カーテン部の早急な展開膨張を可能とすることができ、また膨張部を、ウィンド部分を横断するように柱状に延設することができるため、カーテン部のテンションを展開方向で確実に高めることができる。
【００４２】
請求項５記載の発明においては、前記膨張部は、前記第二辺、第三辺の少なくとも一方側に近接して略柱状に形成されたものである。
【００４３】
このような構成により、第二辺側や第三辺側に形成された張力部を、より迅速に支持部に移動させることができる。
【００４４】
よって、張力部を早急に支持部に係合させることができ、早期にカーテン部にテンションを与えることができる。
【００４５】
請求項６記載の発明においては、前記ウィンド部分は、車両側部に設けるサイドウィンドであり、前記所定の状態は、車両の衝突時、衝突予知時、又は横転判定時とされ、前記膨張部は、展開膨張状態で、車両上方の前記第一辺から前記サイドウィンド下端辺のベルトラインを越えるように設定され、車両側面視で、前記ウィンド部分間で上下方向に延びるピラーと重合する位置に略柱状に形成されたものである。
【００４６】
このような構成により、本発明のカーテンエアバッグ装置を、車両の衝突時等に、車両側部のサイドウィンドを覆うカーテンエアバッグとして適用することができる。また、カーテン部の膨張部をベルトラインより下方まで延びるように展開膨張させて、さらに各ピラーと重合する位置で展開膨張させることができる。
【００４７】
このため、車両のサイドウィンドという大きなウィンド部分を覆うカーテンエアバッグ装置にあっても、剛性の高いピラーを利用することで、カーテン部の車両前後方向の広い範囲でテンションの高い領域を形成することができる。
【００４８】
よって、カーテン部で確実に乗員の頭部等を拘束することができ、乗員の車外方向への移動を確実に抑制することができる。
【発明の効果】
【００４９】
この発明によれば、カーテン部の展開膨張時には、張力部が支持部まで移動して、この支持部の位置でカーテン部のテンションを発生することができる。
【００５０】
すなわち、収納時に第一辺側に近接していた張力部が、膨張部の膨張力によって第一辺から離間した支持部で係合されるため、第一辺と第二辺の長さ分の距離でテンションを発生させなくても、カーテン部の固定位置を変化させてテンションを発生させることができるのである。
【００５１】
また、膨張部の前端部がウィンド部分の第一辺、第二辺と対面する辺を越えて展開膨張することで、膨張部が対面する辺に係合することになり、支持部よりも前方の展開方向のテンションも得ることができる。
【００５２】
したがって、カーテンエアバッグ装置において、カーテン部の固定位置を移動させることで、膨張力がなくなった場合でも、カーテン部のテンションを維持することができ、また、この固定位置の移動を、ガイドレールによって行うものでないため、迅速にカーテン部を展開膨張させることができる。さらに、固定位置より展開方向側におけるカーテン部のテンションも得られるため、カーテン部のテンションを全域で向上することができる。
【発明を実施するための最良の形態】
【００５３】
以下、図面に基づいて本発明の実施形態を詳述する。
（第一の実施形態）
まず、図１〜図５により、本発明のカーテンエアバッグ装置の第一の実施形態について説明する。本発明の第一の実施形態は、車両のバックドア１に設置するカーテンエアバッグ装置２であり、図１は収納状態のカーテンエアバッグ装置２を示した車両の背面図、図２は展開膨張状態のカーテンエアバッグ装置２を示した車両の背面図、図３（イ）は収納状態におけるカーテンエアバッグ装置２の支持ピンの要部詳細図、（ロ）はその支持ピンの展開膨張状態における要部詳細図、図４は図３（ロ）のＡ−Ａ線矢視断面図、図５はカーテン部側部を示した要部斜視図である。
【００５４】
このカーテンエアバッグ装置２は、図１、図２に示すように、バックドア１のバックウィンド３の周縁部に設置するものであり、台形形状のバックウィンド３の周縁部のうち上縁３１と両側縁３２，３３の三辺に略門状に設置されるベースケーシング４と、このベースケーシング４内に折り畳んで収納される布製のカーテン部５と、ベースケーシング４上方のバックドア１に固設され衝突時等にカーテン部５に対してガスを供給するインフレータ６と、衝撃等を検出するエアバッグセンサ（図示せず）と、このエアバッグセンサの検出信号で衝突、車両の横転や、これら衝突や横転の可能性が所定度合以上であることを判定した際にガス供給信号を発信する制御ユニット（図示せず）とを備える。
【００５５】
前述のベースケーシング４は、バックウィンド３内方側に開放した断面略コ字状の金属製の枠部材で構成され、バックウィンド３の上縁３１に設置される上縁辺部４ａと、両側縁３２，３３に設置される右縁辺部４ｂと、左縁辺部４ｃとを備える。
【００５６】
また、ベースケーシング４の右縁辺部４ｂと左縁辺部４ｃの下端には、展開膨張時にカーテン部５をそれぞれ支持する支持ピン７,７が設けられている。この支持ピン７,７は、車両前後方向にその軸が延びるように設けられる。
【００５７】
各辺部４ａ,４ｂ,４ｃの外側には、バックドア１のインナパネル（図示せず）に対して締結固定する締結フランジ４ｅ…を複数設け、この締結フランジ４ｅでベースケーシング４をバックドア１に強固に締結固定している。これにより、ベースケーシング４は、カーテン部５の展開膨張時の反力や、カーテン部５のテンション発生時の反力を確実に受けることができる。
【００５８】
前述のカーテン部５は、布製で構成され、収納時においては、前記ベースケーシング４内に小さく折り畳まれた状態で収納され、展開膨張時においては、図２に示すように台形形状のバックウィンド３の全面を覆うように、大きく末広がりの略台形形状で展開する。
【００５９】
このカーテン部５の車幅方向両側と中央には、それぞれ上下方向に延びる膨張部５１,５２,５３が設けられ、この膨張部５１,５２,５３の間には膨張しない展開部５４が設けられている。またこれら膨張部５１,５２,５３の上端には、車幅方向に延びる連通膨張部５５が設けられ、前述のインフレータ６からのガスを各膨張部５１,５２,５３に適切に分配するように構成されている。
【００６０】
また、カーテン部５は、下端５ａが展開膨張状態でバックウィンド３の下端辺３ａを越えて下方まで延びるように設定されている。具体的には、バックウィンド３の下端辺３ａよりも約５ｃｍ〜約３０ｃｍ程度（Ｄ）に下方に延設するように設定されている。これにより膨張部５１，５２，５３の下端部５１ａ，５２ａ，５３ａもバックウィンド３の下端辺３ａよりも下方に位置する。
【００６１】
さらに、これらの膨張部５１，５２，５３は、図２に示すように、展開膨張した状態で円柱状に膨張するように構成され、完全に展開膨張した状態で上下方向に延びる三本の気柱が車幅方向に並ぶように形成されている。
【００６２】
このため、膨張部５１，５２，５３の下端部５１ａ，５２ａ，５３ａは、展開膨張状態で、バックウィンド３の下縁３４に係合することになり、カーテン部５の膨張部５１，５２，５３が上下方向、すなわち展開方向でテンションを持つことになる。
【００６３】
また、このうち、両側の膨張部５１，５２は、後述する張力部Ｐ，Ｐに隣接した位置に形成されており、後述するように、展開膨張時には張力部Ｐ，Ｐを支持ピン７，７の位置まで早期に移動させることができる。
【００６４】
このカーテン部５は、上部（基部）５６においてのみ、前述のベースケーシング４の上縁辺部４ａに固定されており、両側部については右縁辺部４ｂと左縁辺部４ｃに固定されていない。このため、カーテン部５は、展開膨張時に、ベースケーシング４の右縁辺部４ｂ、左縁辺部４ｃには拘束されず（但し支持ピン７，７は除く）、自由に離間して展開する。
【００６５】
また、カーテン部５の両側部には、上下方向に延びる布製の紐状部材８，８を縫合固定している。
【００６６】
この紐状部材８は、具体的には、図５に示すように、カーテン部５の布部材と同じ剛性か、これよりもやや剛性の高い布部材で構成され、カーテン部５の側部中央の張力部Ｐ近傍と側部下端の先端部Ｑ近傍に対して、それぞれ上端部８ａと下端部８ｂを強固に縫合固定している。
【００６７】
紐状部材８の長さは、カーテン部５の側方の膨張部５１（５２）の下方への展開膨張する長さによって決まり、展開膨張完了時に、前述の支持ピン７に紐状部材８の上端部８ａ側が係合する長さに設定している。
【００６８】
前述のインフレータ６は、バックドア１の上端部に車幅方向に延びるように設置され、前述の制御手段からガス供給信号を受けた際に、前記カーテン部５の膨張部５１,５２,５３に対してガスを供給するように構成されている。この供給されるガスは、カーテン部５のテンションを長期間に亘って保持するために、膨張率が変化しないガスを充填した所謂低温ガスが望ましい。しかし、一般的な固体材料を着火させて発生させる高温ガスであってもよい。
【００６９】
このインフレータ６のガス噴出側には、カーテン部５の膨張部５１,５２,５３内にガスを供給する供給管６１を設けている。
【００７０】
なお、前述のエアバッグセンサと制御手段については、一般的に公知であるため、説明は省略する。
【００７１】
次に、本実施形態のカーテンエアバッグ装置２の支持ピン７と紐状部材８の構造について詳述する。
【００７２】
図３（イ）及び（ロ）は、それぞれカーテン部５の収納時及び展開膨張時における支持ピン７と紐状部材８の関係を示したものである。
【００７３】
カーテン部５の収納時（イ）には、紐状部材８は、カーテン部５の外方側（バックウィンド３側を内方側とする）に位置し、下端部８ｂ側で支持ピン７を取り囲むように位置して、ベースケーシング４内の奥に位置するように設置されている。一方、カーテン部５の展開膨張時（ロ）には、カーテン部５と共にベースケーシング４の下方側に移動して、上端部８ａ側で支持ピン７に係合するように構成されている。
【００７４】
このように、紐状部材８は、カーテン部５の収納時と展開膨張時において、それぞれ異なった位置で支持ピン７に係合するように構成されている。
【００７５】
これは、後述するように、膨張部５１（５２）の膨張力によって、カーテン部５の先端部Ｑが下方に移動するのに伴って、紐状部材８が下方に引っ張られることによって、生じるものである。
【００７６】
なお、支持ピン７と紐状部材８は、移動時（展開膨張時）に摺動抵抗が生じないように束ねられたカーテン部５よりもカーテン部５の展開方向とは反対側に紐状部材８が配されて収納されており、これにより、互いにその位置を拘束しないようにして、展開膨張完了時のみ、紐状部材８が支持ピン７に係合するように構成されている。
【００７７】
紐状部材８の幅ｔ１は、図４に示すように、ベースケーシング４内に収納した状態から容易に離脱できるように、ベースケーシング４の幅ｔ２よりも小さな幅に設定している。なお、このベースケーシング４の幅ｔ２以内にカーテン部５が収納される。
【００７８】
また、支持ピン７は、円柱軸状の金属部材で構成され、支持剛性を高めるためベースケーシング４に対して、両端を貫通させた両持ち支持構造としている。また、衝撃を受けて容易に脱落しないように、支持ピン７の両端には大径のボス部７１，７１を形成している。
【００７９】
なお、この支持ピン７の代わりにボルトとナットを用いて、ボルトの軸部で紐状部材８を支持するように構成してもよい。
【００８０】
以上のように構成された、本実施形態のカーテンエアバッグ装置２の展開膨張時の作動について、図６、図７の模式図で説明する。図６が本実施形態の作動を示した模式図、図７が従来構造の作動を示した模式図である。なお、これらの模式図において、前述した構成要素と同一の構成要素は同一の符号を付して説明を省略する。
【００８１】
従来構造においては、図７に示すように、カーテン部５収納時（イ）には、上縁辺、右縁辺、左縁辺の三辺の長さ（Ｘ＋Ｙ＋Ｚ）を有するカーテン部５´を、ウィンド周縁に収納する必要があり、どうしてもカーテン部５の自由端の長さが長くならざるを得ない。そこで、カーテン部展開膨張時（ロ）には、この三辺の長さ（Ｘ＋Ｙ＋Ｚ）を残り一辺の長さＷで吸収させるため、大きな膨張部５７（気柱）を複数設けて、カーテン部５´のテンションを得るようにしていた。
【００８２】
しかし、このように膨張部５７を大きくすると、膨張部５７を展開膨張させるための大きな空間が車室内に必要となり、また供給するガスも大量になるといった問題がある。
【００８３】
このため、本実施形態では、図６に示すように、カーテン部収納時（イ）に、三辺の長さ（Ｘ＋Ｙ＋Ｚ）をカーテン部５が備えつつも、前述のように支持ピン７，７と紐状部材８，８によってカーテン部５の両側の支持位置（固定位置）を移動するように構成することで、カーテン部展開膨張時（ロ）に、カーテン部５の側部の先端部Ｑ,Ｑが下方に展開膨張するのに伴って、紐状部材８，８で連結された張力部Ｐ,Ｐが下側に引っ張られ、張力部Ｐ,Ｐが支持ピン７，７の位置に移動するように構成している。
【００８４】
これにより、支持ピン７，７間Ｗ´で、右側の張力部Ｐから左側の張力部Ｐまでの長さＶという三辺の長さ（Ｘ＋Ｙ＋Ｚ）よりも短い距離で、テンションを得ることができる。
【００８５】
このため、カーテン部５のテンションを得るために、大きな膨張部を設けることなく、また、膨張部に供給するガス量も少量にすることができる。
【００８６】
したがって、本実施形態によると、大型のバックウィンド３を覆うカーテンエアバッグ装置２において、大きな膨張部や大量のガスを必要とすることなく、カーテン部５にテンションを発生させることができる。
【００８７】
また、本実施形態のように、カーテン部５側部の支持位置（固定位置）を移動させる構造を紐状部材８，８と支持ピン７，７とによって構成したことで、簡単な構成でカーテン部５の支持位置（固定位置）を変更することができ、また、ガイドレールを使用した場合のように摺動抵抗も生じることなく、早急な展開膨張が可能となる。
【００８８】
また、本実施形態では、展開膨張状態におけるカーテン部５の下端５ａを、バックウィンド３の下端辺３ａを越えて下方まで延びるように設定し、膨張部５１，５２，５３の下端部５１ａ，５２ａ，５３ａをバックウィンド３の下縁３４に係合するように構成している。このため、カーテン部５の張力部Ｐ，Ｐよりも下側（展開方向先端側）でもテンションを得ることができる。
【００８９】
よって、カーテン部５は、カーテン部５全域に亘りテンションを高めることができ、乗員の拘束性能を高めることができる。
【００９０】
特に、膨張部５１，５２，５３を円柱状に膨張させることで、膨張部５１，５２，５３の下端部５１ａ，５２ａ，５３ａ側へのガス供給が迅速に行われることになり、且つ展開膨張状態で膨張部５１，５２，５３がバックウィンド３の下縁３４まで円柱状に膨張することになる。
【００９１】
このため、カーテン部５の早急な展開膨張を可能とすることができ、カーテン部５のテンションを上下方向で確実に高めることができる。
【００９２】
さらに、本実施形態のバックウィンド３は、図１に示すように、末広がりの台形形状で、上縁辺３ａと両側縁辺３ｂ,３ｃがなす角αが、左右とも約９５°程度の鈍角に設定されている。このため、ベースケーシング４もほぼ同様に、下端部の間隔が広がった末広がり形状となり、支持ピン７も車幅方向外方側に位置することになる。よって、テンションを発生させる張力部Ｐ、Ｐ間の長さが、上縁辺３ａの長さよりも長くなり、カーテン部５によりテンションを発生させやすくなる。
【００９３】
また、この実施形態では、紐状部材８，８をカーテン部５よりも外方側のベースケーシング４の奥の位置に設置していることから、カーテン部５の展開膨張に際して、紐状部材８が阻害することなく、カーテン部５に迅速且つ確実な展開膨張を行わせることができる。
【００９４】
さらに、紐状部材８をベルト状にして支持ピン７とベースケーシング４との間の隙間でスライド移動するように設定していることで、展開膨張時には、紐状部材８が方向性を持って引き出されるため、カーテン部５の展開膨張方向を規定することができ、安定した展開膨張状態を得ることができる。
【００９５】
加えて、本実施形態では、図２に示すように、支持ピン７の高さ位置を、乗員の着座位置における頭部Ｈ中心の高さ位置よりも下方に設定して、展開膨張時に支持ピン７，７の間にできるテンションラインＴが、頭部Ｈ中心よりも下方に位置するように設定している。このため、衝突時等に、乗員の頭部Ｈの車外方向への動きを確実に拘束することができ、乗員の安全性を高めることができる。
【００９６】
そして、本実施形態では、両側の膨張部５１，５２を、張力部Ｐ，Ｐに隣接したカーテン部５側部に設けているため、膨張部５１，５２の膨張力が即座に張力部Ｐ，Ｐに伝達される。このため、張力部Ｐ，Ｐの展開方向（下側方向）への移動が早まり、より早期に、張力部Ｐ，Ｐを支持ピン７，７近傍まで移動させることができ、確実にカーテン部５を展開膨張させることができる。
【００９７】
また、本実施形態では、後部座席９が三人掛けであり、衝突時等には三人を保護する必要があるが、カーテン部５の車幅方向中央にも膨張部５３を設けているため、両側の膨張部５１，５２と共に、乗員の頭部Ｈに作用する衝撃を吸収することもできる。
【００９８】
さらに、これら膨張部５１，５２，５３は、前述のテンションラインＴを挟んで上下方向に延びるように形成している。このため、膨張部５１，５２，５３が膨張することでテンションラインＴの見かけ上の長さを短くして、確実にテンションを与えることができ、テンションラインＴにおけるテンションをさらに高めることができる。
【００９９】
なお、図８に、一側方（図面では左側）のみに、支持ピン７と紐状部材８を設けた場合の作動模式図を示す。この模式図のように、一側方のみに支持ピン７と紐状部材８を設けることで、略三角形のウィンドを覆うことも可能である。
【０１００】
この場合においても、カーテン部収納時（イ）に、二辺の長さ（Ｘ＋Ｙ）をカーテン部５が備えつつも、支持ピン７と紐状部材８によってカーテン部５の一側方の支持位置（固定位置）が移動するように構成したため、カーテン部展開膨張時（ロ）に、カーテン部５の一側方の先端部Ｑが下方に展開膨張するのに伴って、紐状部材８で連結された張力部Ｐが下側に引っ張られ、張力部Ｐが支持ピン７の位置に移動する。
【０１０１】
これにより、この場合も、支持ピン７ともう一方の端部Ｒとの間Ｗで、張力部Ｐから一方の端部Ｒまでの長さＶで、二辺の長さ（Ｘ＋Ｙ）よりも短い距離でテンションを得ることができる。
【０１０２】
よって、三角形のウィンドを覆う場合でも、大きな膨張部や大量のガスを必要とすることなく、カーテン部５にテンションを発生させることができる。
【０１０３】
なお、第一の実施形態では、カーテン部５の下端部がバックウィンド３下縁よりも下側に位置するように構成しているが、図２に示すように最後席のシートバック上端部近傍にカーテン部５の下側が近接して位置する場合には、バックウィンド３の下縁を、車両後方から見てシートバック上端部より下側に膨張させるように構成してもよい（つまり、ウィンド部分をバックウィンド３の上縁、左右縁とシートバック上端部とで形成されるとみなすのである）。
（第二の実施形態）
次に、図９により、本発明のカーテンエアバッグ装置の第二の実施形態について説明する。この第二の実施形態は、カーテン部側部の支持位置（固定位置）を移動させる構造を、別の構造にしたものであり、図９は、図５に対応するものである。
【０１０４】
このカーテンエアバッグ装置３０２は、紐状部材の代わりにカーテン部３０５の側端に所定幅を有する耳部３５８を上下方向に延びるように形成し、この耳部３５８に上下方向に延びる長孔３５９（ガイド孔）を形成したものである。
【０１０５】
この長孔３５９に対して、第一実施形態と同様に支持ピン７を係合させて、カーテン部５の収納時と展開膨張時とでこの支持ピン７の係合位置を上下方向に変化（移動）させることで、前述の実施形態同様に、支持ピン７，７間でテンションを発生させることができる。
【０１０６】
このため、この実施形態でも、前述の実施形態と同様に、膨張部を大きくすることなく、またガス量を少なくすることができる。
【０１０７】
特に、この実施形態の場合には、カーテン部３０５と一体の耳部３５８によって、カーテン部３０５の支持位置（固定位置）を移動させる構造を達成しているので、紐状部材８のような別部材を別途設ける必要もなく、生産性やコスト性を向上できる。
【０１０８】
その他の作用効果については、前述の第一の実施形態と同様である。
（第三の実施形態）
次に、図１０により、本発明のカーテンエアバッグ装置の第三の実施形態について説明する。この第三の実施形態は、車両側部のサイドウィンド４１０の周縁に設置するカーテンエアバッグ装置４０２である。
【０１０９】
このカーテンエアバッグ装置４０２が設置される車両には、車室内に車両前方側から順に前席Ｓ１、第一後席Ｓ２、第二後席Ｓ３を設置し、その側方にフロントウィンド４１１、リアウィンド４１２、クォータウィンド４１３を設置している。そして、各ウィンド間等には前側からＡピラー４２１、Ｂピラー４２２、Ｃピラー４２３及びＤピラー４２４が設置され、各ウィンド４１１，４１２，４１３の上方には、ルーフサイドパネル４２５が設置されている。
【０１１０】
カーテンエアバッグ装置４０２のベースケーシング４０４は、これらの複数のウィンド４１１，４１２，４１３を取り囲むようにＡピラー４２１、ルーフサイドパネル４２５及びＤピラー４２４に略門状に設置されている。
【０１１１】
そして、このベースケーシング４０４に、第一実施形態と同様に折り畳んだカーテン部４０５が収納されており、このカーテン部４０５は、Ｄピラー４２４に設置したインフレータ４０６からガスを受けて、展開膨張するように構成されている。
【０１１２】
なお、図１０は、カーテン部４０５の展開膨張状態を示している。
【０１１３】
本実施形態のカーテン部４０５の側部（車両前方側側部、後方側側部）には、第一実施形態と同様に紐状部材８,８を設け、ベースケーシング４０４の側方下端部には支持ピン７,７を設け、この支持ピン７,７に紐状部材８，８が係合するように構成している。
【０１１４】
紐状部材８，８は、上端部をカーテン部４０５中間部に位置する張力部Ｐ，Ｐに連結しており、下端部を支持ピン７，７近傍に位置する先端部Ｑ，Ｑに連結している（図面で（Ｐ）（Ｑ）で示した位置は収納状態の位置）。
【０１１５】
そして、この紐状部材８，８により、展開膨張時には、先端部Ｑ，Ｑの下方への移動により張力部Ｐ，Ｐを支持ピン７，７の位置まで移動させ、支持ピン７，７を係合させる。
【０１１６】
このような構成において、車両のピラー部（Ｂピラー４２２、Ｃピラー４２３）に設けたエアバッグセンサ（図示せず）が車両の側面からの衝撃を検出した場合、若しくはロール角センサからなるエアバッグセンサ（図示せず）が車両の横転を検出（予知）した場合、制御ユニット（図示せず）によりカーテン部４０５を展開膨張させる。
【０１１７】
これにより、第一の実施形態同様に、支持ピン７，７の間でテンションを発生するテンションラインＴを形成している。
【０１１８】
特に、本実施形態では、複数のウィンド４１１，４１２，４１３を一つのカーテン部４０５で覆うため、カーテン部の固定位置を移動させない構造では困難であるテンション発生を、支持ピン７，７の位置まで張力部Ｐを移動させることで容易に行うことができる。
【０１１９】
また、カーテン部４０５には、カーテン部４０５の側部で側方下端部を下方に展開膨張させる側方膨張部４５１，４５２と、各乗員の頭部の位置に対応して膨張する中央膨張部４５３，４５４と、これら膨張部を上部で連通する連通膨張部４５５とを設け、これら膨張部の間には展開部４５６を設けている。
【０１２０】
このカーテン部４０５は、前述の第一の実施形態と同様に、ウィンド４１１，４１２，４１３の下端辺のベルトラインＬを超えて下方まで延びるように設定されている。具体的には、ベルトラインＬよりも約５ｃｍ〜約３０ｃｍ程度（Ｄ）に下方に延設するように設定されている。これにより、膨張部４５１，４５２，４５３，４５４の下端部４５１ａ，４５２ａ，４５３ａ，４５４ａもベルトラインＬよりも下方に位置する。
【０１２１】
このため、膨張部４５１，４５２，４５３，４５４の下端部４５１ａ，４５２ａ，４５３ａ，４５４ａは、展開膨張状態でウィンド４１１，４１２，４１３の下縁に係合することになり、膨張部４５１，４５２，４５３，４５４が上下方向、すなわち展開方向でテンションを持つことになる。
【０１２２】
また、側方膨張部４５１，４５２は、張力部Ｐ，Ｐに隣接した位置に形成されており、第一の実施形態と同様に、展開膨張時に、張力部Ｐ，Ｐを支持ピン７，７の位置まで早期に移動させることができる。
【０１２３】
さらに、中央膨張部４５３，４５４は、車両側面視で、図１０に示すように、前側の中央膨張部４５３がＢピラー４２２とフロントウィンド４１１の下縁部とリアウィンド４１２の下縁部に、後側の中央膨張部４５４がＣピラー４２３とリアウィンド４１２の下縁部とクォータウィンド４１３の下縁部にそれぞれに重合する位置に形成されている。
【０１２４】
このように本実施形態では、膨張部４５１，４５２，４５３，４５４をベルトラインＬよりも下方に延ばし下端部４５１ａ，４５２ａ，４５３ａ，４５４ａをウィンド４１１，４１２，４１３の下縁に係合するように構成するとともに、中央膨張部４５３，４５４をＢピラー４２２及びＣピラー４２３に係合するように構成している。よって、サイドウィンド４１０を覆う大きなカーテン部４０５であっても、カーテン部４０５全域に亘ってより高いテンションを得ることができる。
【０１２５】
また、この中央膨張部４５３，４５４と、車両後方側に位置する側方膨張部４５２とは、図１０に示すように、乗員の頭部Ｈに対応する位置に設けているため、乗員の頭部Ｈの衝撃吸収性能も高めることができる。
【０１２６】
さらに、支持ピン７，７間を結ぶテンションラインＴも、乗員の頭部Ｈより下側に形成している。このため、乗員の頭部Ｈの車外方向の移動も抑制することができ、乗員の拘束性能も高めることができる。
【０１２７】
なお、その他の作用効果については、前述の実施形態と同様である。
（第四の実施形態）
次に、図１１、図１２により、本発明のカーテンエアバッグ装置の第四の実施形態について説明する。この第四の実施形態は、車両上部のガラスルーフウィンド５０１の周縁に設置するカーテンエアバッグ装置５０２である。図１１はカーテンエアバッグ装置５０２を設置した車両の平面図、図１２は図１１のＢ−Ｂ線矢視断面図である。
【０１２８】
このカーテンエアバッグ装置５０２は、エアバッグセンサ（図示せず）により車両の横転を検出又は予知した時、カーテン部を作動させてガラスルーフウィンド５０１を覆い、乗員等の車外方向への移動を抑制するものである。
【０１２９】
ガラスルーフウィンド５０１は、車両のルーフ５０３の中央位置、具体的には、前席乗員Ｈ１と第一後席乗員Ｈ２の上方に設置され、通常時（カーテン部収納時）には車室内から車外が視認できるようになっている。なお。図１１は、カーテン部を展開膨張させた状態を示している。
【０１３０】
このカーテンエアバッグ装置５０２は、インフレータ５０６，５０６、カーテン部５０５，５０５、及びベースケーシング５０４，５０４を、それぞれ二つずつ設けたものであり、この二つのカーテン部５０５,５０５をガラスルーフウィンド５０１内方側にそれぞれ展開膨張させることにより、ガラスルーフウィンド５０１を覆うものである。
【０１３１】
インフレータ５０６,５０６は、一本をガラスルーフウィンド５０１の車両前方側に設置し、もう一本を車両後方側に設置している。また、ベースケーシング５０４,５０４は、一つをガラスルーフウィンド５０１の前側縁５０１ａと左側縁５０１ｂとに亘って設置し、もう一つをガラスルーフウィンド５０１の後側縁５０１ｃと右側縁５０１ｄとに亘って設置している。
【０１３２】
そして、それぞれのベースケーシング５０４、５０４に、展開膨張時に略三角形となるカーテン部５０５,５０５を収納している。
【０１３３】
このカーテン部５０５には、両側及び中央に、インフレータ６から供給されるガスによって膨張する膨張部５５１，５５２，５５３を設け、その間には展開部５５４を設けている。また、両側端には紐状部材８，８を設けている。
【０１３４】
この紐状部材８，８は、前述の実施形態同様に、ベースケーシング５０４の両端部に形成した支持ピン７，７に、それぞれが係合するように構成されており、カーテン部５０５の展開膨張時には、カーテン部５０５の張力部Ｐ,Ｐを支持ピン７，７の位置に移動させて、支持ピン７，７に係合するように構成されている。
【０１３５】
また、このカーテン部５０５は、展開膨張状態で、二つのカーテン部５０５がガラスルーフウィンド５０１の中央で重合するように構成されている。
【０１３６】
このため、図１１に示すように、各カーテン部５０５,５０５の膨張部５５２,５５２の先端側５５２ａ,５５２ａを薄く（厚みＵ１）構成し、二つのカーテン部５０５，５０５が展開膨張時にできるだけ干渉しないようにしている。
【０１３７】
もっとも、乗員の頭部Ｈの衝撃吸収性能は、高める必要があるため、乗員の頭部Ｈに対応する部分では、ある程度の厚み（厚みＵ２）を有するように構成している。
【０１３８】
また、この展開膨張時の干渉をさけるため、上方側の位置するカーテン部５０５を予め先に展開膨張するように構成している。
【０１３９】
このような構成をとることで、二つのカーテン部５０５，５０５が互いに対向する方向から展開膨張したとしても、両者の干渉を防いで適切な乗員保護性能を確保することができる。
【０１４０】
このように、本実施形態においても、紐状部材８，８と支持ピン７，７を設けることにより、カーテン部５０５,５０５の支持位置（固定位置）を移動させて、テンションが容易に発生するようにしている。
【０１４１】
よって、ガラスルーフウィンド５０１の周縁に設置するカーテンエアバッグ装置５０２においても、展開膨張時に、確実にテンションを発生させることができ、乗員の保護性能を高めることができる。
【０１４２】
なお、本実施形態でも、展開膨張状態で、各カーテン部５０５，５０５の側方膨張部における前端部５５１ａ，５５３ａが、ガラスルーフウィンド５０１の対向する縁部５０１ａ，５０１ｂ，５０１ｃ，５０１ｄまで延びるように設定されている。このため、テンションラインＬよりも展開方向前方側のテンションを得ることができる。
【０１４３】
また、その他の作用効果についても、前述の実施形態と同様である。
（第五の実施形態）
次に、図１３（イ）により、本発明のカーテンエアバッグ装置６０２の第五の実施形態について説明する。この第五の実施形態も、車両上部のガラスルーフウィンド５０１の周縁に設置するカーテンエアバッグ装置６０２である。
【０１４４】
このカーテンエアバッグ装置６０２は、前述の第四の実施形態とは異なり、インフレータ６０６、カーテン部６０５及びベースケーシング６０４を、それぞれ一つで構成し、ガラスルーフウィンド５０１を、全て一つのカーテン部６０５で覆うように構成したものである。
【０１４５】
具体的には、ガラスルーフウィンド５０１の周縁部の前端縁部５０１ａ、左側縁部５０１ｂ、左側縁部５０１ｃに略コ字状にベースケーシング６０４を設置して、そのベースケーシング６０４の内部に折り畳んだ状態のカーテン部６０５を収納し、そのカーテン部６０５にガスを供給するインフレータ６０６をベースケーシング６０４の車両前方側に設置している。
【０１４６】
なお、図１３（イ）は、カーテン部６０５を展開膨張させた状態を示す。
【０１４７】
カーテン部６０５の両側端には、前述の実施形態と同様に紐状部材８，８を設け、ベースケーシング６０４の両端に支持ピン７，７を設置する点については、前述の実施形態と同様であり、また膨張部６５１，６５２の膨張によって車両後方側にカーテン部６０５の支持位置（固定位置）が移動することについても、前述の実施形態と同様である。さらに、この実施形態では、図１５（イ）のＰ点よりも車両前方側において、カーテン部６０５がケーシング６０４に固定されている。
【０１４８】
この実施形態では、カーテン部６０５の形状を、前述の実施形態のカーテン部と違うものとして構成している。
【０１４９】
すなわち、図１３（イ）に示すように、紐状部材８，８の近傍に位置するカーテン部６０５側部の膨張部６５１，６５２のみを大きく後方まで延ばし、その他の中央の膨張部６５３と展開部６５４については、展開膨張状態でガラスルーフウィンド５０１を覆う程度の長さに設定したカーテン部６０５として、形成しているのである。
【０１５０】
このように構成することにより、側部の膨張部６５１，６５２を、よりカーテン部６０５の固定位置（支持位置）を移動させる促進手段として利用することができるだけでなく、この膨張部６５１、６５２の後方側を衝撃吸収部材として利用することも可能となる。また、カーテン部６０５の大きさもコンパクトにすることができ、より収納性を高められるという効果も得られる。
【０１５１】
よって、本実施形態は、前述の実施形態と同様に、膨張部を小さくし、ガス量を少なくしても、テンションを発生させることができるという効果に加え、より確実に、膨張部６５１，６５２によるカーテン部６０５の固定位置の移動を生じさせることができ、また、収納スペースをコンパクトにできるという効果を奏することができる。
【０１５２】
また、本実施形態のように側部の膨張部６５１，６５２を大きくし、前端部６５１ａ，６５２ａをガラスルーフウィンド５０１の車両後方側に突出させることで、他の実施形態と同様に、カーテン部６０５のテンションラインＬよりも展開方向前方側（車両後方側）のテンションを得ることができる。
【０１５３】
その他の作用効果については、前述の実施形態と同様である。
（第六の実施形態）
次に、図１３（ロ）に示す本発明のカーテンエアバッグ装置２の第六の実施形態について説明する。この第六の実施形態も、車両上部のガラスルーフウィンド５０１の周縁に設置するカーテンエアバッグ装置７０２である。
【０１５４】
このカーテンエアバッグ装置７０２は、第五の実施形態と同様にインフレータ７０６、カーテン部７０５、ベースケーシング７０４を、それぞれ一つで構成し、車両上部のガラスルーフウィンド５０１を、一つのカーテン部７０５で覆うように構成したものである。
【０１５５】
もっとも、このカーテンエアバッグ装置７０２は、カーテン部７０５の一側方に紐状部材８を設け、ベースケーシング７０４の一端部のみに支持ピン７を設置する、図８に示した三角形タイプのカーテンエアバッグ装置で構成している。
【０１５６】
このように、カーテン部７０５の一側部のみが膨張部７５１の展開膨張によって移動するように構成したことにより、第四、第五の実施形態に比較して、一側部を移動させるだけの膨張力で足りるため、膨張部７５１の大きさを大きくしなくても、カーテン部７０５を展開膨張させることができる。
【０１５７】
よって、インフレータ７０６のガス量を少なくすることができ、また、カーテン部７０５をコンパクトに構成することができる。
【０１５８】
したがって、本実施形態によると、比較的安価な構成によって、カーテン部７０５のテンション向上を図ることができる。
【０１５９】
また、本実施形態のように膨張部７５１の前端部７５１ａがガラスルーフウィンド５０１の周縁に展開膨張することで、他の実施形態と同様に、カーテン部７０５のテンションラインＬよりも展開方向前方側（車両後方側）のテンションを得ることができる。
【０１６０】
なお、その他の作用効果については、前述の実施形態と同様である。
【０１６１】
以上、この発明の構成と、前述の実施形態との対応において、
この発明のウィンドは、実施形態のバックウィンド３、フロントウィンド４１１、リアウィンド４１２、クォータウィンド４１３、ガラスルーフウィンド５０１に対応し、
以下、同様に
ガス供給手段は、インフレータ６,４０６，５０６，６０６，７０６に対応し、
先端側部は、先端部Ｑに対応し、
支持部は、支持ピン７に対応し、
膨張部の先端部は、下端部５１ａ，５２ａ，５３ａ，４５１ａ，４５２ａ，４５３ａ，４５４ａ、前端部５５１ａ，５５３ａ，６５１ａ，６５２ａ，７５１ａに対応するも、
この発明は、前述の実施形態に限定されるものではなく、あらゆるカーテンエアバッグ装置に適用する実施形態を含むものである。
【０１６２】
例えば、車両以外で、建物、航空機、電車、船、宇宙船及び宇宙ステーション等で用いるカーテンエアバッグ装置であってもよいし、また、ウィンドの形状についても、三角形、四角形や五角形、さらには曲率を有する円形であってもよい。
【０１６３】
さらに、支持ピンの代わりに、支持フック、支持孔等を用いてカーテン部の張力部を支持するように構成してもよい。また支持ピンの軸方向についても、カーテン部の展開膨張方向に直交する方向だけでなく平行であってもよく、また傾斜していてもよい。
【０１６４】
また、紐状部材の形状についても、縄状、帯状等であってもよく、特に限定されるものではない。
【図面の簡単な説明】
【０１６５】
【図１】本発明の収納状態のカーテンエアバッグ装置を示した車両の背面図。
【図２】展開膨張状態のカーテンエアバッグ装置を示した車両の背面図。
【図３】（イ）収納状態における支持ピンの要部詳細図、（ロ）展開膨張状態における支持ピンの要部詳細図。
【図４】図３（ロ）のＡ−Ａ線矢視断面図。
【図５】カーテン部側部を示した要部斜視図。
【図６】本実施形態の作動を示した模式図、（イ）収納状態（ロ）展開膨張状態。
【図７】従来構造の作動を示した模式図、（イ）収納状態（ロ）展開膨張状態。
【図８】一側方のみに、支持ピンと紐状部材を設けた場合の作動模式図、（イ）収納状態（ロ）展開膨張状態。
【図９】第二の実施形態カーテン部側部を示した要部斜視図。
【図１０】第三の実施形態を示した車両の側面図。
【図１１】第四の実施形態を示した車両の平面図。
【図１２】図１１のＢ−Ｂ線矢視断面図。
【図１３】（イ）第五の実施形態を示した平面図、（ロ）第六の実施形態を示した平面図。
【符号の説明】
【０１６６】
Ｐ…張力部
Ｑ…先端部（先端側部）
Ｔ…テンションライン
３…バックウィンド（ウィンド）
５，１０５，２０５，３０５，４０５，５０５，６０５，７０５…カーテン部
６,４０６，５０６，６０６，７０６…インフレータ（ガス供給手段）
７…支持ピン（支持部）
８…紐状部材
５１，５２，５３，４５１，４５２，４５３，４５４，５５１，５５２，５５３，６５１，６５２，６５３，７５１…膨張部
５１ａ，５２ａ，５３ａ，４５１ａ，４５２ａ，４５３ａ，４５４ａ…下端部（膨張部の先端部）
５５１ａ，５５３ａ，６５１ａ，６５２ａ，７５１ａ…前端部（膨張部の先端部）
４１１…フロントウィンド（ウィンド）
４１２…リアウィンド（ウィンド）
４１３…クォータウィンド（ウィンド）
５０１…ガラスルーフウィンド（ウィンド）
【図１】
2006273043.tif 000003
【図２】
2006273043.tif 000004
【図３】
2006273043.tif 000005
【図４】
2006273043.tif 000006
【図５】
2006273043.tif 000007
【図６】
2006273043.tif 000008
【図７】
2006273043.tif 000009
【図８】
2006273043.tif 000010
【図９】
2006273043.tif 000011
【図１０】
2006273043.tif 000012
【図１１】
2006273043.tif 000013
【図１２】
2006273043.tif 000014
【図１３】
2006273043.tif 000015